(57)【要約】【課題】光ディスク装置において、衝撃力が印加された場合にもクランパから光ディスクが外れないようにする。【解決手段】ディスクモータのボトムケース側への落ち込み変位量を抑える。具体的には、ディスクモータ３の裏面と対向するボトムケース面上の、該ディスクモータの正投影面の全部または一部を含む領域に、ボトムカバー方向に突出した凸状部１５を設け、記録または再生状態時、ディスクモータの回転軸方向において、モータ固定板６０とボトムカバー４０との間の距離ｇ１と、該ボトムカバー４０とボトムケース５０の上記凸状部１５との間の距離ｇ２との和（ｇ１＋ｇ２）を、光ディスク２とトレイ６との間の距離ｇ３と光ディスク２の中心孔へのクランパ３ｂの挿入深さｈｐとの和（ｇ３＋ｈｐ）よりも小さくした構成とする。【選択図】図３
2009054237.tif 000002
【特許請求の範囲】
【請求項１】
光ディスクに対して情報を記録または再生する光ディスク装置であって、
上記光ディスクにレーザ光を照射し反射光を受光する光ピックアップと、
上記光ピックアップを光ディスクの略半径方向に移動させるピックアップ移動機構と、
上記光ディスクを回転駆動するディスクモータと、
上記ディスクモータの回転部に固定され、上記光ディスクの回転時、光ディスクの中心孔またはその周縁部に係合されるクランパと、
上記光ピックアップ、上記ピックアップ移動機構及び上記ディスクモータが搭載されたシャーシと、
上記ディスクモータを上記シャーシに取付けるモータ固定板と、
上記シャーシと結合され、上記光ディスクを、装置本体内に搬入または該装置本体内から搬出するトレイと、
上記トレイのディスク載置面の反対側の面に結合されたボトムカバーと、
上記ボトムカバーの外側に配され、上記ディスクモータの裏面と対向する面上の該ディスクモータの正投影面の全部または一部を含む領域に、上記ボトムカバー方向に突出した凸状部を有するボトムケースと、
を備え、
上記ディスクモータの回転軸方向において、記録または再生状態における上記モータ固定板と上記ボトムカバーとの間の第１の距離と、該ボトムカバーと上記ボトムケースの上記凸状部との間の第２の距離との和を、上記光ディスクと上記トレイとの間の第３の距離と上記クランパの上記光ディスクの中心孔への挿入深さとの和よりも小さくした構成を特徴とする光ディスク装置。
【請求項２】
上記ボトムケースは、上記凸状部が絞り構造とされた構成である請求項１に記載の光ディスク装置。
【請求項３】
上記ボトムケースは、上記凸状部が、上記ディスクモータの裏面と対向する該ボトムケースの面に対して傾斜した面を有する構成である請求項１に記載の光ディスク装置。
【請求項４】
上記ボトムカバーは、上記ディスクモータの回転軸方向の衝撃力が印加されたとき、上記モータ固定板に押されて変位し、その先端面が上記ボトムケースの上記凸状部に当接する構成である請求項１に記載の光ディスク装置。
【請求項５】
上記第２の距離は、上記第１の距離よりも短くされている請求項１から４のいずれかに記載の光ディスク装置。
【発明の詳細な説明】
【技術分野】
【０００１】
本発明は、光ディスク装置に係り、特に、記録または再生時における光ディスクのクランパからの外れをなくすための構造に関する。
【背景技術】
【０００２】
従来より、例えばノートパソコンなどに搭載するための薄型の光ディスク装置の開発が進められている。近年は、薄型の光ディスク装置の用途も多様化し、これに対応して、装置のより一層の薄型化・軽量化が図られるとともに、衝撃に対する信頼性の確保も要求されるようになってきている。
【発明の開示】
【発明が解決しようとする課題】
【０００３】
光ディスク装置において、薄型化や軽量化のためには、部品の厚さ寸法の縮減や部品間クリアランスの縮小化などが行われるが、これらは装置の耐衝撃性を阻む要因となる。さらに、光ピックアップに青系レーザ用光学系と赤系レーザ用光学系の２つの光学系が搭載される機種などにおいては、光ピックアップの寸法や重量が増大し、これによってユニットメカ部全体の重量が増大して、装置に衝撃力が作用した場合の該ユニットメカ部の変位を増大させる。特に、記録または再生動作中におけるディスクモータの回転軸方向の変位の増大は、回転中の光ディスクのクランパからの外れを引き起こすことになり、該外れが生じた場合には、記録または再生動作を中断させてしまうだけでなく、光ディスクや装置も損傷される。
【０００４】
図６〜図９は、従来の薄型の光ディスク装置１００'の構成例を示す。図６は、光ディスク装置１００'の表面側（光ディスクを搭載する側）（＋Ｚ軸方向側）の平面構成であって、トップカバーを外した場合の状態を示す図、図７は、トレイ６'を装置本体側のボトムケース５０'から引き出した状態を示す斜視図、図８は、光ディスク装置１００'の裏面側（−Ｚ軸方向側）から見たトレイ６'及びシャーシ５'の構成図、図９は、トレイ６'とシャーシ５'の結合部の断面図である。
【０００５】
光ディスク装置１００'において、ユニットメカ部のシャーシ５'上には、光ピックアップ４'や、ピックアップ移動機構や、ディスクモータ３'が搭載され（図６、図７）、該シャーシ５'は、Ａ、Ｂ、Ｃの３位置において、防振材を介してトレイ６'に結合されている（図６、図８、図９）。すなわち、ユニットメカ部はその一部を構成しているシャーシ５'により、防振材を介してトレイ６'に結合されている。図６、図７において、３ａ'は、光ディスクが載置されるターンテーブル、３ｂ'は、光ディスク（図示なし）の中心孔に挿入され該光ディスクをクランプするクランパ、８'は、光ピックアップ４'とユニットメカ部上の回路基板（図示なし）との間を接続するフレキシブル配線基板（ＦＰＣ）、５０'は、装置の裏面側（−Ｚ軸方向側）を覆うボトムケース、５１'は、トレイ６'の側端部の外側に摺動可能に係合し該トレイ６'の引き出し移動や引き込み移動に付随して±Ｘ軸方向に移動するレール部材である。シャーシ５'は、Ａ、Ｂ、Ｃの３位置において、図９に示す構成によって、ダンパーを介しトレイ６'に結合される。すなわち、該シャーシ５'は、Ａ位置では、防振材としてのダンパーＡ１１ａを介してトレイ６'に結合され（図９（ａ））、Ｃ位置では、防振材としてのダンパーＣ１１ｃを介してトレイ６に結合され（図９（ｂ））、また、図示されないが、Ｂ位置では、Ｃ位置と同様の構成によりシャーシ５'がトレイ６'に結合される。Ａ位置においては、シャーシ５'は、ダンパーＡ１１ａによりトレイ面Ｓａから高さｈａの位置に支持され、また、トレイ６'には、ダンパーＡ１１ａの周囲に、シャーシ５'方向に突出した突起部としてのリブ１３ａが設けられている。リブ１３ａの先端面とシャーシ５'との間には距離ｇａの隙間が形成されている（図９（ａ））。Ｃ位置では、シャーシ５'は、ダンパーＣ１１ｃにより、トレイ面Ｓｃから高さｈｃの位置に支持される。該ダンパーＣ１１ｃの周辺部には突起部は設けられていない（図９（ｂ））。シャーシ５'は、例えば、厚さ約１．０×１０−３ｍの鋼板により構成される。また、ボトムケース５０'の内側において、Ａ、Ｂ、Ｃの３位置で、ボトムカバー４０'がビス３０によってトレイ６'側に固定され、該３位置において、防振材（ダンパー）はそれぞれ、その−Ｚ軸方向側の端面を、該ボトムカバー２０の平面により支持され、＋Ｚ軸方向側の端面（ダンパーＡ１１ａの場合はＢａ、ダンパーＣ１１ｃの場合はＢｃ）を、トレイ６'の平面により支持されている。
【０００６】
また、図７において、ボトムケース５０'の平坦状の内面５０ａ'には、装置のメイン回路基板８５'や、該メイン回路基板８５'とユニットメカ部上の回路基板（図示なし）との間を接続するフレキシブル配線基板（ＦＰＣ）８０'が取付けられている。特に、該フレキシブル配線基板（ＦＰＣ）８０'は平面がＵ字状に形成され、該Ｕ字状平面のうちの一方の部分８０ａ'がボトムケース５０'の平坦な内面５０ａ'上に固定されている。ディスクモータ３'は、シャーシ５'の裏面側（−Ｚ軸方向側）でモータ固定板（図示なし）によりシャーシ５'に取付けられている。該モータ固定板の下方（−Ｚ軸方向）には、トレイ６'に固定されたボトムカバー（図示なし）がある。該ボトムカバーは、トレイ６'がボトムケース５０'に対して引き出しや引き込みの移動をするとき、所定寸法の空隙を介して該フレキシブル配線基板（ＦＰＣ）８０'の上記一方の部分８０ａ'の上方を該トレイ６'とともに移動する。１０'はトレイ６'に結合された前面パネルである。
【０００７】
かかる構成において、光ディスク装置１００'に対し−Ｚ軸方向に衝撃力が加わった場合には、ユニットメカ部に−Ｚ軸方向に衝撃力が作用し、防振材が圧縮変形して該ユニットメカ部全体がトレイ６'に対して−Ｚ軸方向に落ち込む。このとき、クランパ３ｂ'に係合されている光ディスクも落ち込み移動してトレイ６'に近づく。該落ち込み量が大きい場合は、光ディスクの外周側の面がトレイ６'のディスク載置面に接触し、さらに、落ち込み量が大きい場合には、該接触状態で、クランパ３ｂ'が該光ディスクの中心孔から抜け出てしまうため、光ディスクがクランパ３ｂ'から外れる。
【０００８】
図１０、図１１は、光ディスク装置１００'における記録または再生時のディスク支持状態を示す断面図である。図１０は、光ディスク装置１００'に対し衝撃力が作用しない場合の状態、図１１は、ディスク装置１００'に対し−Ｚ軸方向に衝撃力が加わった場合の状態を示す。
【０００９】
図１０において、光ディスク２はその中心孔にクランパ３ｂ'が挿入されクランプされている。ディスクモータ３'はモータ固定板６０'に固定され、該モータ固定板６０'はシャーシ５'に固定され、該シャーシ５'は、防振材を介してトレイ６'に結合されている。また、ボトムカバー４０'（厚さｔ）はトレイ６'に固定されている。光ディスク装置１００'においては、ディスクモータ３'の回転軸方向（±Ｚ軸方向）において、モータ固定板６０'とボトムカバー４０'との間の距離（空隙ｇ１'）と、該ボトムカバー４０'とボトムケース５０'との間の距離（空隙ｇ２'）との和は、光ディスク２とトレイ６'のディスク載置面６ａ'との間の距離（空隙ｇ３'）と上記クランパ３ｂ'の上記光ディスク２の中心孔内への挿入深さｈｐ'との和以上となっている。すなわち、
ｇ１'＋ｇ２'≧ｇ３'＋ｈｐ'                            …（数１）
の関係にある。
【００１０】
光ディスク装置１００'に対し−Ｚ軸方向に衝撃力が加わった場合には、ユニットメカ部に−Ｚ軸方向に衝撃力が作用し、防振材（ダンパーＡ１１ａ、ダンパーＢ１１ｂ、ダンパーＣ１１ｃ）がそれぞれ圧縮変形して該ユニットメカ部全体がトレイ６'に対して−Ｚ軸方向に距離ｇ１'＋ｇ２'だけ落ち込む。このとき、光ディスク２もクランパ３ｂ'とともに落ち込み移動（変位）し，距離ｇ３'移動（変位）したところでその外周側の面がトレイ６'のディスク載置面６ａ'に接触する。また、ユニットメカ部が距離ｇ１'移動したところでは、モータ固定板６０'がボトムカバー４０'に接触する。ユニットメカ部が距離ｇ３'よりもさらに移動することによっては、クランパ３ｂ'の光ディスク２の中心孔への挿入深さが減少し始める。また、ユニットメカ部が距離ｇ１'よりもさらに移動することによっては、モータ固定板６０'はボトムカバー４０'を−Ｚ軸方向に押して変形させ始める。最終的に、ユニットメカ部が−Ｚ軸方向に距離ｇ１'＋ｇ２'を移動した状態では、ボトムカバー４０'が、モータ固定板６０'に押された状態でボトムケース５０'の内面５０ａ'に当接する。このときは上記数１の関係が満たされるため、図１１に示すように、クランパ３ｂ'が光ディスク２の中心孔から抜け出た状態すなわち光ディスク２がクランパ３ｂ'から外れた状態となる。回転中に光ディスク２がクランパ３ｂ'から外れると、光ディスク２が損傷したり、ディスク装置１００'が壊れたりする。現流の光ディスク装置では、例えば、距離ｇ１'、ｇ２'はそれぞれ約０．５×１０−３ｍ、ｇ３'＋ｈｐ'は１．０×１０−３ｍよりも小さい寸法（０．８×１０−３ｍ〜０．９×１０−３ｍ）にされている。また、ボトムカバー４０'の厚さｔ'は約０．３×１０−３ｍである。
【００１１】
図１２に示すように、クランパ３ｂ'は、ばね３ｂｓｐ'で押された状態で半径方向に突出した複数個の突出片３ｂｔｐ'を有し、該突出片３ｂｔｐ'の斜辺部３ｂｔｐ１'において光ディスク２の中心孔の周縁部に当接させ、ばね３ｂｓｐ'の弾性復元力で該光ディスク２をクランプしている。クランパ３ｂ'の光ディスク２の中心孔への挿入深さｈｐ'は、光ディスク２の中心孔の下面２ａ１からクランパ３ｂ'の突出片３ｂｔｐ'の先端部３ｂｔｐ２'までの寸法である。ユニットメカ部が−Ｚ軸方向に距離ｇ１'＋ｇ２'移動した状態（図１１）では、突出片３ｂｔｐ'の先端部３ｂｔｐ２'は、光ディスク２の中心孔の下面２ａ１よりもさらに下方（−Ｚ軸方向）に移動し、光ディスク２の中心孔の周縁部は、突出片３ｂｔｐ'の斜辺部３ｂｔｐ１'による拘束状態から開放され、光ディスク２はクランパ３ｂ'から外れる（光ディスク２'）。
【００１２】
図１３は、光ディスク装置１００'に−Ｚ軸方向に衝撃力が加わった場合の、ディスクモータ３'の−Ｚ軸方向の変位量ＺＤと、これに対するクランパ３ｂ'の−Ｚ軸方向の変位量ＺＣ、ボトムカバー４０'の−Ｚ軸方向の変位量ＺB１、ボトムケース５０'の−Ｚ軸方向の変位量ＺB２の関係を説明する図である。距離ｇ１'、ｇ２'（図１０）はそれぞれ０．５×１０−３ｍとしている。図１３において、ユニットメカ部が衝撃力によって−Ｚ軸方向に移動し、ディスクモータ３'が距離ｇ１'＝０．５×１０−３ｍ移動した点ＺＤ１（ボトムカバー変位開始点）でディスクモータ３'下方のモータ固定板６０'がボトムカバー４０'に接触し、ここからはディスクモータ３'及びモータ固定板６０'はボトムカバー４０'といっしょに−Ｚ軸方向に移動変位し、距離ｇ２'＝０．５×１０−３ｍ移動した点ＺＤ２でモータ固定板６０'がボトムケース５０'の内面５０ａ'に当接する。点Ｃは、このときのディスクモータ３'の変位量ＺＤとクランパ３ｂ'の変位量ＺＣとを示す点である（＝ボトムケース５０'に変位が生じないとした場合）。ボトムケース５０'が例えば０．３×１０−３ｍ変位するとした場合は、点ＺＤ２（ボトムケース変位開始点）以降では、ディスクモータ３'及びモータ固定板６０'はボトムカバー４０'及びボトムケース５０'とともに移動変位し点ＺＤ３（ボトムケース変位終了点）に至る。点Ｃｍａｘは、このときのディスクモータ３'の変位量ＺＤとクランパ３ｂ'の変位量ＺＣとを示す点である。ディスク装置１００'では、ｇ１'＋ｇ２'（＝１．０×１０−３ｍ）よりも小さいディスクモータ３'の変位量ＺＤ４（＝０．８５×１０−３ｍとする）（ディスク外れ開始点）においてクランパ３ｂ'がディスクの中心孔から抜けてしまい、ディスク外れが起こる。従って、モータ固定板６０'がディスクモータ３'とともに変位してボトムケース５０'の内面５０ａ'に当接する点Ｃに至る前にディスク外れが発生する。ＺＤ＝０．８５×１０−３ｍ、ＺＣ＝０．８５×１０−３ｍはディスク外れが開始される境界線である。また、図１３において、Ａは、ディスク外れが発生しない領域、Ｂは、ディスク外れが発生する領域である。
【００１３】
上記述べたように、光ディスク装置１００'においては、衝撃力が印加された場合、上記数１の関係にある構成に起因して、光ディスクのクランパ３ｂ'からの外れが発生し、これによって記録や再生が中断されるだけでなく、光ディスクや装置も損傷し、装置の信頼性が損なわれる。
【００１４】
本発明の課題点は、上記従来技術の状況に鑑み、光ディスク装置において、簡易な構成下で耐衝撃性を改善し、記録または再生時に衝撃力が印加された場合にも、クランパから光ディスクが外れないようにすることである。
本発明の目的は、かかる課題点を解決し、信頼性を確保した光ディスク装置を提供することにある。
【課題を解決するための手段】
【００１５】
上記課題点を解決するために、本発明では、光ディスク装置として、ディスクモータのボトムケース側への落ち込み変位量を抑える。具体的には、ディスクモータの裏面と対向するボトムケース面上の、該ディスクモータの正投影面の全部または一部を含む領域に、ボトムカバー方向に突出した凸状部を備えた構成とし、記録または再生状態時、ディスクモータの回転軸方向において、モータ固定板とボトムカバーとの間の距離と、該ボトムカバーとボトムケースの上記凸状部との間の距離との和を、光ディスクとトレイとの間の距離と、光ディスクの中心孔へのクランパの挿入深さとの和よりも小さくした構成とする。
【発明の効果】
【００１６】
本発明によれば、光ディスク装置において、耐衝撃性を改善することができ、光ディスクのクランパからの外れをなくして装置の信頼性を向上させることができる。
【発明を実施するための最良の形態】
【００１７】
以下、本発明の実施例につき、図面を用いて説明する。
図１〜図５は、本発明の実施例の説明図である。図１は、本発明の実施例としての光ディスク装置の構成図であって、トレイを装置本体から引き出した状態を示す斜視図、図２は、図１の光ディスク装置におけるボトムケースの構成図、図３、図４は、図１の光ディスク装置が記録または再生状態にあるときのディスク支持部の状態を示す図であって、図３は衝撃力が作用しない場合の状態を示し、図４は−Ｚ軸方向に衝撃力が加わった場合の状態を示す。また、図５は、図１の光ディスク装置に対して−Ｚ軸方向に衝撃力が加わった場合の、ディスクモータの該−Ｚ軸方向の変位量と、これに対するクランパ、ボトムカバー及びボトムケースのそれぞれの−Ｚ軸方向の変位量の関係を説明する図である。
【００１８】
図１において、１００は、本発明の実施例としての光ディスク装置、３は、記録媒体としての光ディスク（図示なし）を回転駆動するディスクモータ、３ａはターンテーブル、３ｂは、光ディスクをクランプするクランパ、４は、光ディスクにレーザ光を照射するとともに、その反射光を受光する光ピックアップ、４ａは対物レンズである。光ピックアップ４は、ピックアップ移動機構（図示なし）によって、光ディスクの略半径方向（図１において±Ｘ'方向）に移動される。該ピックアップ移動機構は、表面にねじを備え該ねじの回転により光ピックアップ４を移動させるリードスクリュー部材（図示なし）や、光ピックアップ４の移動を案内するガイド部材（図示なし）や、リードスクリュー部材を回転駆動する送りモータ（図示なし）などを有して構成されている。５は、光ピックアップ４やピックアップ移動機構やディスクモータ３などが搭載されたシャーシ、６は、シャーシ５と結合され、光ディスクを、光ディスク装置１００の装置本体内に搬入または該装置本体内から搬出するトレイ、１０は、トレイ６に結合された前面パネルである。ディスクモータ３は、平板状のモータ固定板を介してシャーシ５に結合される。すなわち、該ディスクモータ３はモータ固定板に固定され、該モータ固定板がシャーシ５に固定される。光ピックアップ４、ピックアップ移動機構、ディスクモータ３、シャーシ５及びモータ固定板は、光ディスク装置１００のユニットメカ部を構成する。該シャーシ５は、該ユニットメカ部の基盤として該ユニットメカ部の外周部分を構成し、例えば、厚さ約１．０×１０−３ｍの鋼板などにより構成される。モータ固定板の下方（−Ｚ軸方向）には、その平面を該モータ固定板の平面に略平行にして該トレイ６のディスク載置面の反対側の面に結合されたボトムカバー（図示なし）が設けられている。シャーシ５は、図６、図８及び図９で説明した光ディスク装置１００'におけるシャーシ５'がＡ、Ｂ、Ｃの３位置においてそれぞれ、防振材としてのダンパーを介してトレイ６'に結合されているのと同様、光ディスク装置１００内の３位置において、防振材としてのダンパーＡ１１ａ、ダンパーＢ１１ｂ及びダンパーＣ１１ｃを介し、トレイ６に結合されている。すなわち、ユニットメカ部が、該ユニットメカ部の一部としてのシャーシ５において、ダンパーＡ１１ａ、ダンパーＢ１１ｂ及びダンパーＣ１１ｃを介しトレイ６に結合されている。光ディスク装置１００におけるボトムケースやボトムカバーも、光ディスク装置１００'におけるボトムケース５０'やボトムカバー４０'と同位置に配される。トレイ６は成形樹脂によって構成され、ダンパーＡ１１ａ、ダンパーＢ１１ｂ及びダンパーＣ１１ｃはいずれも、ゴム（合成ゴムを含む）や合成樹脂など弾性を有する部材で構成されるものとする。図９において、１２ａは、ダンパーＡ１１ａがその外周に係合されるトレイ６上のダンパー係合部Ａ、１２ｃは、ダンパーＣ１１ｃがその外周に係合されるトレイ６上のダンパー係合部Ｃである。ダンパーＢ１１ｂが係合されるトレイ６上のダンパー係合部は、基本的にダンパー係合部Ｃと同様の構成を有する。光ディスク装置１００において、ダンパー係合部Ａ１２ａは、図６におけるＡ位置に相���する位置に設けられ、ダンパー係合部Ｂ１２ｂは、図６におけるＢ位置に相当する位置に設けられ、ダンパー係合部Ｃ１２ｃは、図６におけるＣ位置に相当する位置に設けられる。
【００１９】
また、図１において、８は、光ピックアップ４とユニットメカ部上の回路基板（図示なし）との間を接続するフレキシブル配線基板（ＦＰＣ）、５０は、ボトムカバーに対し−Ｚ軸方向の外側に配され、光ディスク装置１００の裏面側を覆うボトムケース、５０ａはボトムケース５０の内面、５１は、トレイ６の側端部の外側に摺動可能に係合し該トレイ６の引き出し移動や引き込み移動に付随して±Ｘ軸方向に移動するレール部材、５２は、レール部材５１の外側で該レール部材５１に係合し該レール部材５１の移動を案内するガイドレール部材、１５は、ボトムケース５０のディスクモータ３の裏面と対向する面（以下、ボトムケース５０の内面という）５０ａ内に設けられボトムカバー方向（Ｚ軸方向）に突出した凸状部、８５は光ディスク装置１００のメイン回路基板、９０はコネクタ、８１は、ユニットメカ部上の回路基板とメイン回路基板８５との間を接続するフレキシブル配線基板（ＦＰＣ）である。凸状部１５は、ボトムケース５０の内面５０ａ内において、光ディスク装置１００が記録または再生動作を行う状態にあるとき、上記ディスクモータ３がその回転軸方向（−Ｚ軸方向）に正投影される領域の全部または一部を含む範囲すなわちボトムカバーの外側にあってディスクモータ３の裏面と対向するボトムケース面上の該ディスクモータ３の正投影面の全部または一部を含む領域に設けられている。また、フレキシブル配線基板（ＦＰＣ）８１は、帯状の構成とされ、その平面のうちボトムケース５０の内面５０ａ上に配される部分８１ａは、該内面５０ａ上に接着等により固定されている。凸状部１５は、ボトムケース５０の内面５０ａ内において、該フレキシブル配線基板（ＦＰＣ）８１の固定部分８１ａとは異なる平面領域に設けられる。
【００２０】
図２は、図１の光ディスク装置１００におけるボトムケース５０の構成図である。図２（ａ）は、ボトムケース５０の斜視図、図２（ｂ）は、ボトムケース５０の内面５０ａに設けた凸状部１５のＡ−Ａ断面を示す断面図である。
【００２１】
図２において、凸状部１５は、絞り加工によって形成された構造（絞り構造）であり、その突出高さｈは０．２×１０−３ｍ〜０．４×１０−３ｍの範囲とされている。また、該凸状部１５の先端面１５ａは、ボトムケース５０の内面５０ａに略平行な第１の面１５ａ１と、該第１の面１５ａ１に対しＸ軸方向側に位置し該内面５０ａまたは該第１の面１５ａ１に対し角θだけ傾斜した第２の面１５ａ２とを有して成る。該第２の面１５ａ２は、±Ｘ軸方向ａｂ間に形成され、該第１の面１５ａ１はｂｃ間に形成される。該第２の面１５ａ２を設けることにより、装置本体に対するトレイ６の引き出し移動や引き込み移動の際、ボトムカバー４０がボトムケース５０の内面５０ａや該凸状部１５の先端面１５ａに接触した場合にも、該ボトムカバーが、凸状部１５に対してつかえたりすることもなく、トレイ６とともに±Ｘ軸方向にスムースに移動することが可能となる。
【００２２】
図３、図４は、図１の光ディスク装置１００が記録または再生状態にあるときのディスク支持部の状態を示す図であって、図３は衝撃力が作用しない場合の状態、図４は−Ｚ軸方向に衝撃力が加わった場合の状態を示す。
【００２３】
図３及び図４において、６ａはトレイ６のディスク載置面、１５ａは凸状部１５の先端面、４０はボトムカバー、６０はモータ固定板、ｇ１は、モータ固定板６０とボトムカバー４０との間の空隙すなわちディスクモータ３の回転軸方向（±Ｚ軸方向）におけるモータ固定板６０とボトムカバー４０との間の距離（第１の距離）、ｇ２は、ボトムカバー４０とボトムケース５０との間の空隙すなわちディスクモータ３の回転軸方向（±Ｚ軸方向）におけるボトムカバー４０とボトムケース５０との間の距離（第２の距離）、ｇ３は、光ディスク２とトレイ６のディスク載置面６ａとの間の距離（第３の距離）、ｔはボトムカバー４０の厚さ、ｈｐは、クランパ３ｂの光ディスク２の中心孔内への挿入深さである。光ディスク装置１００においては、ディスクモータの回転軸方向において、記録または再生状態におけるモータ固定板６０とボトムカバー４０との間の第１の距離ｇ１と、該ボトムカバー４０とボトムケース５０の凸状部１５との間の第２の距離ｇ２との和が、上記光ディスク２と上記トレイ６との間の第３の距離ｇ３と上記クランパ３ｂの上記光ディスク２の中心孔への挿入深さｈｐとの和よりも小さくなるようにしてある。すなわち、
ｇ１＋ｇ２＜ｇ３＋ｈｐ                                    …（数２）
の関係にある。
また、第１の距離ｇ１と、第２の距離ｇ２との関係は、ｇ１＞ｇ２となるようにし、ボトムカバー４０とボトムケース５０の内面５０ａとの間の距離の増大を抑えるようにしている。
【００２４】
かかる構成の光ディスク装置１００に−Ｚ軸方向に衝撃力が加わった場合には、ユニットメカ部に−Ｚ軸方向に衝撃力が作用して図３の状態が変化する。すなわち、防振材（ダンパーＡ１１ａ、ダンパーＢ１１ｂ、ダンパーＣ１１ｃ）がそれぞれ圧縮変形して該ユニットメカ部全体がトレイ６に対して−Ｚ軸方向に距離ｇ１＋ｇ２だけ落ち込む。このとき、光ディスク２もクランパ３ｂとともに−Ｚ軸方向に落ち込み移動し，距離ｇ３移動したところでその外周側の面がトレイ６のディスク載置面６ａに接触する。また、ユニットメカ部が距離ｇ１移動したところでは、モータ固定板６０がボトムカバー４０に接触する。ユニットメカ部が−Ｚ軸方向に距離ｇ３よりもさらに大きく移動することによっては、クランパ３ｂが光ディスク２の中心孔から−Ｚ軸方向に抜け始める。すなわちクランパ３ｂの光ディスク２の中心孔への挿入深さｈｐが減少し始める。また、ユニットメカ部が−Ｚ軸方向に距離ｇ１よりもさらに大きく移動することによっては、モータ固定板６０はボトムカバー４０を−Ｚ軸方向に押して変形させ始める。最終的に、ユニットメカ部が−Ｚ軸方向に距離ｇ１＋ｇ２移動（変位）した状態では、ボトムカバー４０が、モータ固定板６０の−Ｚ軸方向の面に押された状態でボトムケース５０の凸状部１５の先端面１５ａ（厳密には先端面１５ａ内の第１の面１５ａ１（図２））に当接する。このときには上記数２の関係が満足されるため、図４に示すように、クランパ３ｂは光ディスク２の中心孔から抜け出さずにその一部が該中心孔内に留まる。これによって、光ディスク２がクランパ３ｂから外れるのが阻止される。ディスク装置１００においては、距離ｇ１は約０．５×１０−３ｍ、距離ｇ２は約０．２×１０−３ｍ、距離ｇ３＋ｈｐは０．８×１０−３ｍ〜０．９×１０−３ｍ）にされているものとする。特に、距離ｇ２については、ボトムカバー４０やボトムケース５０の部品精度等からみて、装置の薄型化を図る上での必要な寸法範囲は０．１５×１０−３ｍ〜０．３×１０−３ｍであると考えられ、ディスク装置１００では、この距離ｇ２を、この範囲内の約０．２×１０−３ｍとしている。また、ディスク装置１００においては、ボトムカバー４０の厚さｔは約０．３×１０−３ｍである。
【００２５】
クランパ３ｂは、基本的に、図１２に示したクランパ３ｂ'と同様の構成を備え、図１２中の符号３ｂ'を３ｂに、３'を３に、ｈｐ'をｈｐにそれぞれ変更した構成を備えるとする。すなわち、クランパ３ｂは、ばね３ｂｓｐ'で押され半径方向に突出した複数個の突出片３ｂｔｐ'を有し、該突出片３ｂｔｐ'の斜辺部３ｂｔｐ１'において光ディスク２の中心孔の周縁部に当接させ、ばね３ｂｓｐ'の弾性復元力で該光ディスク２をクランプする。該クランパ３ｂの光ディスク２の中心孔への挿入深さｈｐは、光ディスク２の中心孔の下面２ａ１からクランパ３ｂの突出片３ｂｔｐ'の先端部３ｂｔｐ２'までの寸法である。ユニットメカ部が−Ｚ軸方向に距離ｇ１＋ｇ２移動した状態（図４）では、突出片３ｂｔｐ'の先端部３ｂｔｐ２'は、光ディスク２の中心孔の下面２ａ１よりもさらに上方（＋Ｚ軸方向）に留まり、光ディスク２の中心孔の周縁部は、突出片３ｂｔｐ'の先端部３ｂｔｐ２'または斜辺部３ｂｔｐ１'によって、なお拘束状態にあり、光ディスク２はクランパ３ｂ'から外れないでいる。
【００２６】
図５は、光ディスク装置１００に−Ｚ軸方向に衝撃力が加わった場合の、ディスクモータ３の−Ｚ軸方向の変位量ＺＤと、これに対するクランパ３ｂの−Ｚ軸方向の変位量ＺＣ、ボトムカバー４０の−Ｚ軸方向の変位量ＺB１、ボトムケース５０の−Ｚ軸方向の変位量ＺB２の関係を説明する図である。距離ｇ１は０．５×１０−３ｍ、距離ｇ２は０．２×１０−３ｍとしている。図５において、ユニットメカ部が衝撃力によって−Ｚ軸方向に移動し、ディスクモータ３が距離ｇ１＝０．５×１０−３ｍ移動した点ＺＤ１（ボトムカバー変位開始点）でディスクモータ３'下方のモータ固定板６０がボトムカバー４０に接触し、その後はディスクモータ３及びモータ固定板６０はボトムカバー４０といっしょに−Ｚ軸方向に移動変位し、距離ｇ２＝０．２×１０−３ｍ移動した点ＺＤ２でモータ固定板６０がボトムケース５０の内面５０ａの凸状部１５の先端面１５ａの第１の面１５ａ１に当接する。点Ｃは、このときのディスクモータ３の変位量ＺＤとクランパ３ｂの変位量ＺＣとを示す点である（＝ボトムケース５０が変位しないとした場合）。ボトムケース５０が例えば０．３×１０−３ｍ変位するとした場合は、点ＺＤ２（ボトムケース変位開始点）以降では、ディスクモータ３及びモータ固定板６０はボトムカバー４０及びボトムケース５０とともに移動変位し、点ＺＤ３（ボトムケース変位終了点）に至る。点Ｃｍａｘは、このときのディスクモータ３の変位量ＺＤとクランパ３ｂの変位量ＺＣとを示す点である。ディスク装置１００では、ＺＤ＝０．８５×１０−３ｍ、ＺＣ＝０．８５×１０−３ｍにおいて、ディスク外れが発生するとする。よって、ｇ１＋ｇ２（＝０．７×１０−３ｍ）よりも大きいディスクモータ３の変位量ＺＤ４（＝０．８５×１０−３ｍ）（ディスク外れ開始点）においてはじめてクランパ３ｂがディスクの中心孔から抜け、ディスク外れが起こる。従って、モータ固定板６０がディスクモータ３とともに変位してボトムケース５０の内面５０ａの凸状部１５の先端面１５ａの第１の面１５ａ１に当接する点Ｃに至ったときもまた至る前もディスク外れは発生しない。ディスク外れは、ＺＤ＝０．８５×１０−３ｍ＝ＺＤ４、ＺＣ＝０．８５×１０−３ｍにおいてはじめて発生する。図５において、Ａは、ディスク外れが発生しない領域、Ｂは、ディスク外れが発生する領域である。
【００２７】
上記述べたように、光ディスク装置１００においては、数２の関係が満たされるため、衝撃力が印加された場合にも、光ディスクがクランパ３ｂから外れることが防止され、装置の信頼性が確保される。
【００２８】
なお、上記実施例では、ボトムケース５０の内面５０ａの凸状部１５としては、該ボトムケース５０と一体化された絞り構造のものについて述べたが、この他、例えば、シート状の部材をボトムケース５０の内面５０ａ上に設けることによって凸状部を形成するようにしてもよい。この場合、該シート状の部材として、耐摩耗性の優れた材質のものを選ぶと、ボトムカバー４０が接触した場合にも傷が付きにくく、劣化を抑えることができる。また、上記実施例では、凸状部１５の先端面１５ａは、ボトムケース５０の内面５０ａに略平行な第１の面１５ａ１と、該第１の面１５ａ１に対しＸ軸方向側に位置し該内面５０ａまたは該第１の面１５ａ１に対し角θだけ傾斜した第２の面１５ａ２とを有して成る構成としたが、該第２の面１５ａ２は、直平面に限定されず、例えば曲平面など他の傾斜面であってもよい。また、上記実施例では、該凸状部１５の平面形状（Ｚ軸方向から見た形状）を長方形として図示したが、これに限定されず、他の形状であってもよい。さらに、上記実施例では、凸状部１５の先端面１５ａは、ボトムケース５０の内面５０ａに略平行な第１の面１５ａ１と、該第１の面１５ａ１に対しＸ軸方向側に位置し該内面５０ａまたは該第１の面１５ａ１に対し角θだけ傾斜した第２の面１５ａ２とを有して成る構成としたが、このボトムケース５０の内面５０ａに略平行な該第１の面１５ａ１は備えず、少なくとも該内面５０ａに対して傾斜した面を、該内面５０内の領域であってディスクモータ３の正投影面の全部または一部を含む領域に備える構成としてもよい。
【図面の簡単な説明】
【００２９】
【図１】本発明の実施例としての光ディスク装置の構成例図である。
【図２】図１の光ディスク装置のボトムケースの構造を示す図である。
【図３】図１の光ディスク装置の動作時における光ディスクの支持状態を示す断面図である。
【図４】図１の光ディスク装置の動作時に衝撃力が加わった場合の光ディスクの支持状態の変化を示す断面図である。
【図５】図１の光ディスク装置の動作時に衝撃力が加わった場合の光ディスク支持部の変位の説明図である。
【図６】従来の光ディスク装置の表面側の平面構成図である。
【図７】従来の光ディスク装置において、トレイを装置本体側から引き出した状態を示す斜視図である。
【図８】従来の光ディスク装置の裏面側から見たトレイ及びシャーシの構成図である。
【図９】従来の光ディスク装置におけるトレイとシャーシの結合部の断面図である。
【図１０】従来の光ディスク装置の動作時における光ディスクの支持状態を示す断面図である。
【図１１】従来の光ディスク装置の動作時に衝撃力が加わった場合の光ディスクの支持状態の変化を示す断面図である。
【図１２】クランパによる光ディスク保持の説明図である。
【図１３】従来の光ディスク装置の動作時に衝撃力が加わった場合の光ディスク支持部の変位の説明図である。
【符号の説明】
【００３０】
１００、１００'…光ディスク装置、
２…光ディスク、
３、３'…ディスクモータ、
３ａ、３ａ'…ターンテーブル、
３ｂ、３ｂ'…クランパ、
４、４'…光ピックアップ、
４ａ…対物レンズ、
５、５'…シャーシ、
６、６'…トレイ、
８、８０'、８１…フレキシブル配線基板、
１０、１０'…前面パネル、
１１ａ…ダンパーＡ、
１１ｂ…ダンパーＢ、
１１ｃ…ダンパーＣ、
１２ａ…ダンパー係合部Ａ、
１２ｃ…ダンパー係合部Ｃ、
１３ａ…リブＡ、
１５…凸状部、
１５ａ…凸状部の先端面、
１５ａ１…第１の面、
１５ａ２…第２の面、
４０、４０'…ボトムカバー、
５０、５０'…ボトムケース、
５０ａ、５０ａ'…ボトムケース内面、
５１、５１'…レール部材、
５２…ガイドレール部材、
６０、６０'…モータ固定板、
８５、８５'…メイン回路基板、
ｇ１、ｇ１'…モータ固定板とボトムカバーとの間の距離、
ｇ２…ボトムカバーと、ボトムケース内面の凸状部との間の距離、
ｇ２'…ボトムカバーとボトムケース内面との間の距離、
ｇ３、ｇ３'…光ディスクとトレイとの間の距離、
ｈｐ、ｈｐ'…光ディスク中心孔へのクランパの挿入深さ、
ｈ…凸状部の突出高さ。
【図１】
2009054237.tif 000003
【図２】
2009054237.tif 000004
【図３】
2009054237.tif 000005
【図４】
2009054237.tif 000006
【図５】
2009054237.tif 000007
【図６】
2009054237.tif 000008
【図７】
2009054237.tif 000009
【図８】
2009054237.tif 000010
【図９】
2009054237.tif 000011
【図１０】
2009054237.tif 000012
【図１１】
2009054237.tif 000013
【図１２】
2009054237.tif 000014
【図１３】
2009054237.tif 000015